(57)【要約】【課題】微細な陰影効果も加わった縞状の陰影効果を発揮することができ，木目調をリアルに再現した意匠外観を呈することができる建築板及びその外壁施工構造を提供すること。【解決手段】建築板１は，木目調２０３を呈するための複数の木目形成凸部２１を形成してなる原板２の表面に，塗料層３を設けてなる。各木目形成凸部２１は，木目調２０３の形成方向（長手方向）Ｌに直交する直交方向Ｗの断面において，それぞれ建築板１の一方端側Ｄ１に位置する一方側壁面２１１よりも，他方端側Ｄ２に位置する他方側壁面２１２が緩やかな緩傾斜状に形成されている。各木目形成凸部２１における各一方側壁面２１１は，多数の微細凹凸２３を有する粗面に形成されており，各他方側壁面２１２は，略平滑な平滑面に形成されている。【選択図】  図１
2005016226.tif 000002
【特許請求の範囲】
【請求項１】
木目調を呈するための複数の木目形成凸部を形成してなる原板の表面に，塗料層を設けてなる建築板において，
上記各木目形成凸部は，上記木目調の形成方向に直交する直交方向断面において，それぞれ上記建築板の一方端側に位置する一方側壁面よりも，他方端側に位置する他方側壁面が緩やかな緩傾斜状に形成されており，
上記一方側壁面は微細凹凸を有する粗面に形成されており，また，上記他方側壁面は略平滑な平滑面に形成されていることを特徴とする建築板。
【請求項２】
請求項１において，上記塗料層は，単色の塗料からなることを特徴とする建築板。
【請求項３】
請求項１又は２において，上記複数の木目形成凸部は，上記木目調における板目部分と柾目部分とを形成してなることを特徴とする建築板。
【請求項４】
木目調を呈するための複数の木目形成凸部を形成してなる原板の表面に塗料層を設けてなる建築板を，建築物の構造躯体に取り付けてなる建築板の外壁施工構造において，
上記建築板における各木目形成凸部は，上記木目調の形成方向に直交する直交方向断面において，それぞれ上記建築板の一方端側に位置する一方側壁面よりも，他方端側に位置する他方側壁面が緩やかな緩傾斜状に形成されており，また，上記一方側壁面は微細凹凸を有する粗面に形成されており，上記他方側壁面は略平滑な平滑面に形成されており，
かつ，上記建築板は，上記各一方側壁面が上向きになるよう建築物の構造躯体に取り付けられていることを特徴とする建築板の外壁施工構造。
【請求項５】
請求項４において，上記建築板における塗料層は，単色の塗料からなることを特徴とする建築板の外壁施工構造。
【請求項６】
請求項４又は５において，上記建築板における複数の木目形成凸部は，上記木目調における板目部分と柾目部分とを形成してなることを特徴とする建築板の外壁施工構造。
【発明の詳細な説明】
【０００１】
【技術分野】
本発明は，建築物の外壁材として施工する建築板であって，特に木目調の凹凸模様を形成した意匠表面に塗装を行って形成した建築板及びその外壁施工構造に関する。
【０００２】
【従来技術】
建築物の外壁として施工するために量産される建築板においては，単調な仕上り感を避けるために，建築板の意匠表面に形成する凹凸模様の形状の工夫，この意匠表面に行う塗装の仕方の工夫等がなされている。
そして，例えば，特許文献１においては，建築板の意匠表面に複数の凹溝を形成し，この複数の凹溝のうちの少なくとも１つの凹溝の傾斜側面は，残りの凹溝の傾斜側面とは異なる模様に形成している。そして，光が照射されたときの反射状態がすべての凹溝では等しくなく，見る方向によって意匠外観が異なる建築板を形成している。
【０００３】
また，特許文献２においては，建築板の意匠表面に複数の単位波形による断面波形模様を形成し，単位波形の一方の側面を急斜面に他方の側面を緩斜面に形成している。そして，各単位波形における急斜面と緩斜面とを形成する方向を一定させず，急斜面及び緩斜面をランダムに形成することによって，立体的で面白味のある意匠外観を呈する建築板を形成している。
【０００４】
【特許文献１】
特許第２９５７５６６号公報
【特許文献２】
特開２０００−２３４４３０号公報
【０００５】
【解決しようとする課題】
しかしながら，上記特許文献１の建築板においては，上記複数の凹溝は，建築板の一方向に沿って並ぶ帯状に形成されており，上記建築板は，単調な凹凸外観を呈している。また，上記複数の凹溝のうちの上記異なる模様を有する傾斜側面は，複数の凹溝の一部に形成していると共に，その形成方向が一定していない。そのため，特許文献１の建築板によっては，特殊な陰影効果を発揮し，木目調をリアルに再現した意匠外観を呈することはできない。
【０００６】
また，上記特許文献２の建築板においても，複数の単位波形は，建築板の一方向に沿って並ぶ帯状に形成されており，上記建築板は，単調な凹凸外観を呈している。また，各単位波形における急斜面と緩斜面との形成方向が一定していない。そのため，特許文献２の建築板によっても，特殊な陰影効果を発揮し，木目調をリアルに再現した意匠外観を呈することはできない。
【０００７】
本発明は，かかる従来の問題点に鑑みてなされたもので，微細な陰影効果も加わった縞状の陰影効果を発揮することができ，木目調をリアルに再現した意匠外観を呈することができる建築板及びその外壁施工構造を提供しようとするものである。
【０００８】
【課題の解決手段】
第１の発明は，木目調を呈するための複数の木目形成凸部を形成してなる原板の表面に，塗料層を設けてなる建築板において，
上記各木目形成凸部は，上記木目調の形成方向に直交する直交方向断面において，それぞれ上記建築板の一方端側に位置する一方側壁面よりも，他方端側に位置する他方側壁面が緩やかな緩傾斜状に形成されており，
上記一方側壁面は微細凹凸を有する粗面に形成されており，また，上記他方側壁面は略平滑な平滑面に形成されていることを特徴とする建築板にある（請求項１）。
【０００９】
上記木目調とは，樹木を挽いた断面において，この樹木の内部に形成された年輪による外観とほぼ同様の外観もしくはこれに近似した外観のことをいう。また，上記木目調の形成方向とは，この木目調が表現しようとする樹木の長手方向（樹木が伸びる方向）のことをいう。
【００１０】
本発明の建築板においては，上記各木目形成凸部は，上記建築板の一方端側に位置する一方側壁面よりも，他方端側に位置する他方側壁面が緩やかな緩傾斜状に形成されている。そして，各木目形成凸部における一方側壁面は，上記建築板の一方端側を向く明確な方向性を有して形成されている。
そのため，上記建築板に光が照射されたときには，各木目形成凸部における各一方側壁面と各他方側壁面とに照射される光の反射の仕方が異なり，建築板の意匠表面に，明確な方向性を有する縞状の陰影効果を発揮させることができる。
【００１１】
さらに，本発明の建築板においては，各木目形成凸部における各一方側壁面は，多数の微細凹凸を有する粗面に形成されており，各他方側壁面は，略平滑な平滑面に形成されている。そのため，各一方側壁面においては，照射された光が上記微細凹凸によって乱反射を行う一方，各他方側壁面においては，照射された光がほとんど乱反射を行わない。これにより，各一方側壁面には，例えば切削加工を行った木材の表面のような木材特有の微細な陰影効果を発揮させることができる。
それ故，本発明の建築板は，上記微細な陰影効果も加わった縞状の陰影効果を発揮することができ，木目調をリアルに再現した意匠外観を呈することができる。
【００１２】
第２の発明は，木目調を呈するための複数の木目形成凸部を形成してなる原板の表面に塗料層を設けてなる建築板を，建築物の構造躯体に取り付けてなる建築板の外壁施工構造において，
上記建築板における各木目形成凸部は，上記木目調の形成方向に直交する直交方向断面において，それぞれ上記建築板の一方端側に位置する一方側壁面よりも，他方端側に位置する他方側壁面が緩やかな緩傾斜状に形成されており，また，上記一方側壁面は微細凹凸を有する粗面に形成されており，上記他方側壁面は略平滑な平滑面に形成されており，
かつ，上記建築板は，上記各一方側壁面が上向きになるよう建築物の構造躯体に取り付けられていることを特徴とする建築板の外壁施工構造にある（請求項４）。
【００１３】
本発明の建築板の外壁施工構造は，上記微細な陰影効果も加わった縞状の陰影効果を発揮し，木目調をリアルに再現した意匠外観を呈する建築板を，外壁材として，建築物の構造躯体に取り付けてなる。そして，この建築板は，その各木目形成凸部における各一方側壁面が上向きになるよう取り付けている。
【００１４】
そのため，上記上向きに配された各木目形成凸部における各一方側壁面には，太陽光による光が照射され易く，一方で，下向きに配された各木目形成凸部における各他方側壁面には，太陽光による光が照射され難い状態を形成することができる。これにより，各一方側壁面における微細凹凸が乱反射を行う状態が一層顕著になり，上記微細な陰影効果を一層顕著に発揮することができる。
それ故，本発明の建築板の外壁施工構造によれば，上記微細な陰影効果が顕著に加わった縞状の陰影効果を発揮することができ，木目調をリアルに再現した意匠外観を呈することができる建築物の外壁を形成することができる。
【００１５】
【発明の実施の形態】
上述した本発明における建築板及びその外壁施工構造にかかる好ましい実施の形態につき説明する。
上記第１，第２の発明において，上記建築板としては，例えば量産を行う無機質建築板がある。また，無機質建築板としては，例えば窯業系建築板がある。
また，上記塗料層は，上記原板の表面に塗装した下塗り層と，この下塗り層の表面に塗装した上塗り層とにより形成することができる。また，上記塗料層の最表面には，耐候性，耐透水性等を向上させるためのクリアー層を形成することができる。
【００１６】
上記第１，第２の発明において，上記建築板における塗料層は，単色の塗料からなることが好ましい（請求項２，５）。
この場合には，上記塗料層の形成が容易であり，上記建築板の製造も容易である。そして，上記建築板における特殊な陰影効果は，塗料層によらず，上記各木目形成凸部における一方側壁面と他方側壁面との形状によって発揮することができる。
また，この場合には，上記建築板の外壁施工構造は，上記単色の塗料からなる塗料層が形成された建築板によって，上記特殊な陰影効果を発揮することができる。
【００１７】
また，上記建築板における複数の木目形成凸部は，上記木目調における板目部分と柾目部分とを形成してなることが好ましい（請求項３，６）。
この場合には，上記建築板は，上記微細な陰影効果も加わった縞状の陰影効果を発揮することができ，木目調を一層リアルに再現した意匠外観を呈することができる。
また，この場合には，上記建築板の外壁施工構造においても，上記微細な陰影効果も加わった縞状の陰影効果を発揮することができ，木目調を一層リアルに再現した意匠外観を呈することができる建築物の外壁を形成することができる。
【００１８】
【実施例】
以下に，図面を用いて本発明の建築板及びその外壁施工構造にかかる実施例につき説明する。
（実施例１）
本例の建築板１は，図１〜図３に示すごとく，木目調２０３を呈するための複数の木目形成凸部２１を形成してなる原板２の表面に，塗料層３を設けてなる。
上記各木目形成凸部２１は，上記木目調２０３の形成方向（長手方向）Ｌに直交する直交方向Ｗの断面において，それぞれ上記建築板１の一方端側Ｄ１に位置する一方側壁面２１１よりも，他方端側Ｄ２に位置する他方側壁面２１２が緩やかな緩傾斜状に形成されている。
【００１９】
また，上記各木目形成凸部２１における各一方側壁面２１１は，多数の微細凹凸２３を有する粗面に形成されており，各他方側壁面２１２は，略平滑な平滑面に形成されている。また，上記木目形成凸部２１同士の間には，谷部２２が形成されている。
以下に，これを詳説する。
【００２０】
図１〜図３に示すごとく，本例の建築板１は，量産可能な窯業系建築板１でありながら，木材を挽いたときの切断面の外観に近似した木目調２０３の凹凸外観を有するものである。
図１，図２は，上記建築板１を，上記木目調２０３の形成方向（長手方向）Ｌに直交する直交方向Ｗにおいて切断して観察した断面説明図である。また，図３は，建築板１の意匠表面１０１を観察した平面図である。
【００２１】
上記各木目形成凸部２１は，上記建築板１が表現しようとする木材（樹木）における年輪の晩材部を表現するものであり，上記各谷部２２は，上記年輪の早材部を表現するものである。上記早材部とは，１年間に形成される１年輪において，春から初夏にかけて樹木の成長が早い時期にできる部分をいい，上記晩材部とは，初夏以後，樹木の生長が緩やかな時期にできる部分をいう。
【００２２】
そして，本例の各木目形成凸部２１は，上記年輪の外観を呈する木材（樹木）において，晩材部の硬さが早材部の硬さよりも硬いことに対応して，原板２の表面に突出形成したものである。
また，上記各木目形成凸部２１における一方側壁面２１１を形成した側である建築板１の一方端側Ｄ１は，上記複数の木目形成凸部２１により表現しようとする木目調２０３のモデルになった樹木４０の中心Ｏ，すなわち樹木の髄Ｏのある側としている（図４参照）。
【００２３】
また，図１，図２に示すごとく，上記各木目形成凸部２１における一方側壁面２１１及び他方側壁面２１２は，いずれも傾斜状に形成されており，一方側壁面２１１の傾斜角度は他方側壁面２１２の傾斜角度よりも急に形成されている。すなわち，一方側壁面２１１は急な急傾斜状に形成されており，他方側壁面２１２は一方側壁面２１１よりも緩やかな緩傾斜状に形成されている。
そして，上記傾斜角度の違いに応じて，上記建築板１の直交方向Ｗの断面における上記他方側壁面２１２の幅は，上記一方側壁面２１１の幅よりも広くなっている。
【００２４】
また，上記各木目形成凸部２１は，上記直交方向Ｗの断面において，それぞれ上記建築板１の一方端側Ｄ１に位置する急傾斜状の一方側壁面２１１と，他方端側Ｄ２に位置する緩傾斜状の他方側壁面２１２とが合わさった山形形状に形成されている。そして，直交方向Ｗの断面において，各木目形成凸部２１の頂点部２１０は，緩やかな円弧状に形成されている。
【００２５】
また，各木目形成凸部２１においては，上記一方端側Ｄ１を向くいずれの一方側壁面２１１も急傾斜状に形成されており，上記他方端側Ｄ２を向くいずれの一方側壁面２１２も緩傾斜状に形成されている。そして，一方側壁面２１１と他方側壁面２１２とが対になって木目形成凸部２１を形成しており，建築板１の意匠表面１０１は，急傾斜状の一方側壁面２１１と緩傾斜状の他方側壁面２１２とが交互に配された波状表面を形成している。
【００２６】
本例の建築板１の意匠表面１０１は，図５に示すような早材部４１２よりも硬さの硬い晩材部４１１が傾斜突出してなる木材４の表面４０１を転写して，形成したものである。そのため，建築板の意匠表面１０１においては，急傾斜状の一方側壁面２１１→緩傾斜状の他方側壁面２１２→急傾斜状の一方側壁面２１１→緩傾斜状の他方側壁面２１２・・・というように急傾斜面と緩傾斜面とが必ず交互に形成されている。
【００２７】
また，上記多数の微細凹凸２３は，上記急傾斜状の一方側壁面２１１に形成されているだけでなく，若干は上記緩傾斜状の他方側壁面２１２にも引き続いて形成されている。そして，この微細凹凸２３の深さは，例えば０．３〜１ｍｍとすることができる。なお，この深さが０．３ｍｍ未満であると，切削加工を行った木材の表面のような木材特有の微細な陰影効果を発揮できないおそれがあり，１ｍｍを越えると，微細凹凸２３が欠損してしまうおそれがある。
また，上記他方側壁面２１２における略平滑な平滑面は，完全な平滑面ではなく，上記原板２を構成する原料中に含まれる成分による極微細な凹凸（ざらつき感）を有している。
【００２８】
また，図２に示すごとく，上記木目形成凸部２１が上記谷部２２から突出する突出高さＨ１，すなわち木目形成凸部２１の頂点部２１０から谷部２２までの高さＨ１は，例えば，１〜２．５ｍｍとすることができる。本例では，この突出高さＨ１は，約２ｍｍとした。なお，この高さＨ１が１ｍｍ未満であると，建築板１の意匠表面１０１に縞状の陰影効果を発揮できなくなるおそれがあり，２．５ｍｍを越えると，木目形成凸部２１が欠損してしまうおそれがある。
【００２９】
また，上記各木目形成凸部２１が上記建築板１の裏面１０２から突出する意匠表面突出高さＨ２，すなわち建築板１の裏面１０２から各木目形成凸部２１の頂点部２１０までの高さ（建築板１の厚み）Ｈ２は，木目形成凸部２１全体でほぼ同一の高さ（厚み）となっている。なお，建築板１の厚みＨ２は，適宜選択することができる。
【００３０】
図４は，樹木４０をこれが伸びる長手方向Ｌに沿って挽いたときに，その切断断面に現れる外観を示す図である。そして，上記建築板１の意匠表面１０１において表現する木目調２０３は，同図に示すごとく，樹木４０の中心（髄）Ｏからずれた位置Ｘ１で挽いたときに現れる板目部分２０４と柾目部分２０５とが混在する外観であって，板目部分２０４の途中から柾目部分２０５にかけての切断断面の片側部分の外観を表現するものである。
これ以外にも，上記木目調２０３は，樹木４０の中心（髄）Ｏの位置Ｘ０又はその近傍の位置Ｘ０を通って挽いたときに現れる柾目部分２０５のみの外観であって，柾目部分２０５の切断断面の片側部分の外観を表現することもできる。
【００３１】
こうして，図１．図３に示すごとく，上記複数の木目形成凸部２１は，上記木目調２０３における板目部分２０４と柾目部分２０５とを形成している。
そして，図３に示すごとく，上記柾目部分２０５における各木目形成凸部２１は，上記木目調２０３の形成方向Ｌに向けて，波状に曲がった長尺状に形成されている。また，柾目部分２０５における互いに隣接する木目形成凸部２１は，上記木目調２０３の形成方向Ｌに向けて，互いに平行に近い状態で形成されている。また，上記板目部分２０４における木目形成凸部２１は，上記木目調２０３の形成方向Ｌに向けて，波状に曲がった帯状に形成されている。
【００３２】
また，上記板目部分２０４における木目形成凸部２１同士の間の間隔は，上記柾目部分２０５における木目形成凸部２１同士の間の間隔よりも広くなっている。本例では，上記柾目部分２０５における木目形成凸部２１同士の間の間隔は，１〜１５ｍｍとなっており，上記板目部分２０４における木目形成凸部２１同士の間の間隔は，１５ｍｍ以上となっている。
【００３３】
また，図１，図３に示すごとく，上記建築板１の意匠表面１０１には，上記木目形成凸部２１による木目調２０３を形成した木目調形成領域２５と，この木目調形成領域２５よりも陥没した目地溝２６とが形成されている。また，本例の目地溝２６は，縦目地溝として上記建築板１の長手方向Ｌに沿って形成した。なお，上記目地溝２６は，上記縦目地溝と，これに直交する直交方向Ｗに沿って形成した横目地溝とにより構成してもよい。
【００３４】
また，本例においては，上記木目調形成領域２５毎に，上記木目調２０３の板目部分２０４と木目調２０３の柾目部分２０５とを形成した。すなわち，各木目調形成領域２５における上記建築板１の一方端側Ｄ１に近い部分には，上記複数の木目形成凸部２１により上記板目部分２０４を形成し，残りの部分には，上記複数の木目形成凸部２１により上記柾目部分２０５を形成した。
すなわち，各木目調形成領域２５においても，上記直交方向Ｗの断面において，建築板１の一方端側Ｄ１に位置する各一方側壁面２１１は急傾斜状に形成し，他方端側Ｄ２に位置する各他方側壁面２１２は緩傾斜状に形成し，かつ微細凹凸２３は各一方側壁面２１１に形成した。
【００３５】
また，図２に示すごとく，本例の建築板１における塗料層３は，シーラー塗装による下塗り層３１と，この下塗り層３１の表面に形成した単色の塗料からなる上塗り層３２とを有してなる。そして，上記建築板１は，上記複数の木目形成凸部２１を形成した原板２の表面に，上記下塗り層３１を形成し，この下塗り層３１の表面に上記上塗り層３２を形成してなる。
そして，本例の建築板１は，上記上塗り層３２の色外観によらず，上記各木目形成凸部２１における各一方側壁面２１１と各他方側壁面２１２との形状によって，特殊な陰影効果を発揮することができるものである。
【００３６】
次に，上記建築板１を製造する方法につき説明する。
上記建築板１を製造するに当たっては，まず，これを型成形（フォーミング）するための成形型を製作する。
すなわち，板目部分と柾目部分との木目調の年輪の外観を呈する木材を準備し，この木材の表面を所定の圧力を加えた状態で切削する。このとき，木材の各年輪における晩材部は，硬いためにあまり削り取られず，一方で，早材部は，晩材部よりも軟らかいために多く削り取られる。
【００３７】
そして，晩材部が山形状に突出し，この晩材部における上記木材の中心（髄）Ｏ側（図４参照）に位置する側壁面は急傾斜状に形成され，反対側に位置する側壁面は緩傾斜状に形成される。その後，上記晩材部が突出した木材の表面をさらに所定の圧力で切削することにより，晩材部の急傾斜状の側壁面に微細な凹凸を形成される。
こうして，上記切削加工を行った木材のモデルを製作し，このモデルの切削表面を転写して成形型を製作することができる。
【００３８】
そして，以下の型成形及び塗装を行って原板２の表面に塗料層３を設けてなる建築板１を量産することができる。
すなわち，上記原板２を成形するに当たっては，上記成形型内に，セメント質原料（セメント，ケイ酸原料等）に木質原料（木繊維，木チップ等），添加剤及び水等を混合してなる混合原料を散布する。そして，上記成形型により原板２としてのセメント系原板２を成形し，これを上記成形型から取り出す。そして，このセメント系原板２の表面には，成形型の成形面により，上記粗面に形成された一方側壁面２１１と上記平滑面に形成された他方側壁面２１２とを有する複数の木目形成凸部２１が形成される。
【００３９】
次いで，上記セメント系原板２の表面に，シーラー塗装を行って下塗り層３１を形成し，この下塗り層３１の表面に単色の塗料を塗装して上塗り層３２を形成する。その後，上塗り層３２の表面に，耐候性，耐透水性等を向上させるためのクリアー塗料を塗装してクリアー層を形成し，上記建築板１を製造することができる。
【００４０】
上記のようにして製造した建築板１においては，上記各木目形成凸部２１は，上記建築板１の一方端側Ｄ１に位置する各一方側壁面２１１が急傾斜状に形成されており，他方端側Ｄ２に位置する各他方側壁面２１２が緩傾斜状に形成されている。そして，各木目形成凸部２１における各一方側壁面２１１は，上記建築板１の一方端側Ｄ１を向く明確な方向性を有して形成されている。
そのため，上記建築板１に光が照射されたときには，各木目形成凸部２１における各一方側壁面２１１と各他方側壁面２１２とに照射される光の反射の仕方が異なり，建築板１の意匠表面１０１に，明確な方向性を有する縞状の陰影効果を発揮させることができる。
【００４１】
さらに，上記建築板１においては，各木目形成凸部２１における各一方側壁面２１１は，多数の微細凹凸２３を有する粗面に形成されており，各他方側壁面２１２は，略平滑な平滑面に形成されている。そのため，各一方側壁面２１１においては，照射された光が上記微細凹凸２３によって乱反射を行う一方，各他方側壁面２１２においては，照射された光がほとんど乱反射を行わない。これにより，各一方側壁面２１１には，例えば切削加工を行った木材の表面のような木材特有の微細な陰影効果を発揮させることができ，建築板１の意匠表面１０１における艶が目立たなくすることができる。
【００４２】
また，上記各一方側壁面２１１は，上記多数の微細凹凸２３を形成した粗面により，木材の表面をプレーナにより切削加工したときに生ずる逆目彫りの毛羽立ったような質感を表現することができる。また，上記各一方側壁面２１１における多数の微細凹凸２３が乱反射を行うため，建築板１の意匠表面１０１に生ずる艶を少なくすることができる。
【００４３】
そのため，上記各一方側壁面２１１に多数の微細凹凸２３を設けた形状により，艶消し効果を発揮することができ，上記上塗り層３２を構成する塗料に含有させる艶消し材の量を少なくすることができる。
それ故，上記建築板１は，上記微細な陰影効果も加わった縞状の陰影効果を発揮することができる。また，上記建築板１は，木材が風化したときに得られるような意匠外観を呈することができ，木目調２０３をリアルに再現することができる。
【００４４】
また，上記建築板１の表面に表現される色外観は，上記単色の塗料からなる上塗り層３２により表現されている。そのため，上記建築板１の表面に表現される色外観は単色であるにも拘らず，上記複数の木目形成凸部２１により，上記特殊な陰影効果を発揮することができる。
また，上記建築板１は，上記上塗り層３２は単色の塗料から形成しているため，多色の塗料の塗り分けや，掻取り等は行っていない。
そのため，上記上塗り層３２の形成が容易であり，上記建築板１の製造も容易である。そのため，上記優れた作用効果を有する建築板１を効率よく量産することができる。
【００４５】
また，後述する実施例２に示すように，本例の建築板１は，上記一方端側Ｄ１を上向きに，すなわち各木目形成凸部２１の各一方側壁面２１１を上向きにして，建築物の外壁を形成することを想定している。
そして，図６に示すごとく，太陽光Ｙによる照射が急傾斜状の各他方側壁面２１２にだけでなく緩傾斜状の各一方側壁面２１１にも及んだ状態を，建築板１の下方から観察者Ｇが観察したときに，各他方側壁面２１２においては，光Ｙ２が反射して表面の艶が見え易くなる一方，各一方側壁面２１１においては，光Ｙ１が乱反射して表面の艶がほとんど見えなくなる。
【００４６】
このように，上記建築板１においては，意匠表面１０１における艶の生じ方が一方側壁面２１１と他方側壁面２１２とで大きく異なっている。そのため，上記建築板１は単色塗装を行ったものであるにも拘らず，多色塗装により複数の色彩を表現したかのような外観を呈することができる。そして，上記単色塗装を行った建築板１は，年輪の外観を呈する木材表面における濃淡を表現したかのような外観を呈することができる。
【００４７】
（実施例２）
本例においては，図７に示すごとく，上記実施例１に示した建築板１を，建築物の外壁材として建築物の構造躯体６に取り付けて，建築板１の外壁施工構造を形成した。そして，本例の建築板１の外壁施工構造は，上記各木目形成凸部２１の各一方側壁面２１１が上向きになるよう，複数の建築板１を取り付けてなる。
また，複数の建築板１は，その長手方向Ｌを横向きにした状態で，上方向に向けて隣接配置して，構造躯体６に取り付けられている。そして，各建築板１は，上記急傾斜状で上記微細凹凸２３を有する粗面からなる各一方側壁面２１１が向けられた一方端１０５を上向きに，上記緩傾斜状で上記平滑面からなる各他方側壁面２１２が向けられた他方端１０６を下向きにして取り付けられている。
【００４８】
上記建築板１の一方端１０５には，下実部１１が形成されており，他方端１０６には，上実部１２及び内実部１３が形成されている。また，本例では，建築板１の一方端１０５及び他方端１０６は，上記長手方向Ｌに平行な一対の長尺端部としている。
なお，下実部１１とは，建築板１の裏面１０２側の部分を，建築板１の端部（一方端１０５）からその面方向に向けて突出させてなる部分をいう。また，上実部１２とは，建築板１の意匠表面１０１側の部分を，建築板１の端部（他方端１０６）からその面方向に向けて突出させてなる部分をいう。また，内実部１３とは，上実部１２の裏面１０２側に位置する係止部をいう。
【００４９】
また，互いに上下に隣接配置された下側の建築板１Ａと上側の建築板１Ｂとは，下側の建築板１Ａの下実部１１が上側の建築板１Ｂの内実部１３内に配置され，下側の建築板１Ａの下実部１１の表面を上側の建築板１Ｂの上実部１２で覆って，建築物の構造躯体６に取り付けられている。なお，これらの建築板１の取付は，取付金具６１を用いて行うことができる。
【００５０】
本例の建築板１の外壁施工構造は，上記実施例１に示した優れた作用効果を有する複数の建築板１を，外壁材として建築物の構造躯体６に取り付けてなる。そして，各建築板１は，その各木目形成凸部２１における各一方側壁面２１１が上向きになるよう取り付けられている。そのため，上記上向きに配された各木目形成凸部２１における各一方側壁面２１１には，太陽光Ｙによる光が照射され易く，一方で，下向きに配された各木目形成凸部２１における各他方側壁面２１２には，太陽光Ｙによる光が照射され難い状態を形成することができる。これにより，各一方側壁面２１１における微細凹凸２３が乱反射を行う状態が一層顕著になり，上記微細な陰影効果を一層顕著に発揮することができる。
【００５１】
それ故，本例の建築板１の外壁施工構造によれば，上記微細な陰影効果が顕著に加わった縞状の陰影効果を発揮することができ，木目調２０３をリアルに再現した意匠外観を呈することができる建築物の外壁を形成することができる。
本例においても，その他は上記実施例１と同様であり，上記実施例１と同様の作用効果を得ることができる。
【図面の簡単な説明】
【図１】実施例１における，建築板を示す断面説明図。
【図２】実施例１における，建築板を示す断面拡大説明図。
【図３】実施例１における，建築板を示す平面図。
【図４】実施例１における，樹木を挽いたときの切断断面の状態を示す説明図。
【図５】実施例１における，早材部よりも硬さの硬い晩材部が傾斜突出してなる木材の表面を示す説明図。
【図６】実施例１における，建築板の意匠表面における光の反射状態を示す説明図。
【図７】実施例２における，建築板の外壁施工構造を示す断面説明図。
【符号の説明】
１．．．建築板，
１０１．．．意匠表面，
１０２．．．裏面，
２．．．セメント系原板，
２０３．．．木目調，
２０４．．．板目部分，
２０５．．．柾目部分，
２１．．．木目形成凸部，
２１１．．．一方側壁面，
２１２．．．他方側壁面，
２２．．．谷部，
２３．．．微細凹凸，
３．．．塗料層，
６．．．構造躯体，
Ｄ１．．．一方端側，
Ｄ２．．．他方端側，
Ｌ．．．木目調の形成方向（長手方向），
Ｗ．．．直交方向，
【図１】
2005016226.tif 000003
【図２】
2005016226.tif 000004
【図３】
2005016226.tif 000005
【図４】
2005016226.tif 000006
【図５】
2005016226.tif 000007
【図６】
2005016226.tif 000008
【図７】
2005016226.tif 000009